(57)【要約】  本発明は、マントル側の電気的接続部（３ｂ，３ｃ，３ｄ）を備えた電気的スイッチング装置（１）、特に高電圧スイッチ（１）に係る。本発明によれば、密閉型のアングル・ディスコネクタ（７）が、前記マントル側の電気的接続部（３ｂ，３ｃ，３ｄ）と屋外ブッシング（４，４０；Ｂ，Ｃ，Ｄ）または送出ケーブル（４，４２；Ｃ）の間に、取り付けられ、このアングル・ディスコネクタにより、前記電気的接続部（３ｂ，３ｃ，３ｄ）が、スイッチング装置（１）の運転位置において、ディスコネクタ平面（Ｔ１２）内で、好ましくは縦方向に、曲げられる。実施形態の例は、とりわけ、水平の電気的接続部（３ｂ，３ｃ，３ｄ）及び９０度のディスコネクタ（７）；ディスコネクタのインプット軸（Ｔ１）の周りでのアングル・ディスコネクタ（７）の付加的な傾斜角度（β）；互いに離れる方向に傾けられた対応するアングル・ディスコネクタ（７）を備えた、複数の、マントル側の水平の電気的接続部（３ｂ，３ｃ，３ｄ）；に関係する。優位性は、とりわけ、アースから切り離されおよび／またはアースに接続されることが可能な屋外ブッシング（４，４０；Ａ，Ｂ，Ｃ，Ｄ）または送出ケーブル（４，４２；Ｃ）を接続するときの、フレキシビリティの高さ、及びスイッチギア・アセンブリのよりコンパクトなデザインを、含んでいる（図４ａ）。
2009514500.tif 000002
【特許請求の範囲】
【請求項１】
サーキット・ブレーカ（２）を有する電気的エネルギー供給システム、特に高電圧スイッチ（１）のための電気的スイッチング装置（１）であって、
このサーキット・ブレーカは、ハウジング（３）の中に配置され、このハウジングは、長手方向の軸（１ａ，ｘ）に沿って伸び、このハウジング（３）は、そのマントル面（２ａ）に、少なくとも一つのマントル側電気的接続部（３ｂ，３ｃ，３ｄ）を有し、この電気的接続部は、送出フィーダ（４；４０，４２）を接続するために使用され、且つ中央軸（Ｈ１，Ｈ２）を有し、この中央軸は、スイッチング装置（１）の運転位置において、水平方向の成分（ｘ，ｙ）を有する、電気的スイッチング装置において：
ａ）  密閉型のアングル・ディスコネクタ（７）を有し、このアングル・ディスコネクタのインプット軸（Ｔ１）が、前記電気的接続部側で、前記中央軸（Ｈ１，Ｈ２）に対して平行に配置され、このアングル・ディスコネクタのアウトプット軸（Ｔ２）が、前記送出フィーダ側で、送出フィーダ（４；４０，４２）長手方向の軸（Ｂ，Ｃ，Ｄ）に対して平行に配置され、且つ、このアングル・ディスコネクタは、前記マントル側電気的接続部（３ｂ，３ｃ，３ｄ）と前記送出フィーダ（４；４０，４２）の間に、取り付けられていること；
ｂ）  ディスコネクタ平面（Ｔ１２）が前記インプット軸（Ｔ１）と前記アウトプット軸（Ｔ２）により規定され、ディスコネクタ角度（α）が前記インプット軸（Ｔ１）と前記アウトプット軸（Ｔ２）の間で形成され、その角度によって、前記電気的接続部（３ｂ，３ｃ，３ｄ）が、スイッチング装置（１）の運転位置において、前記ディスコネクタ平面（Ｔ１２）内で曲げられていること；
を特徴とする電気的スイッチング装置。
【請求項２】
下記特徴を有する請求項１に記載の電気的スイッチング装置（１）：
前記アングル・ディスコネクタ（７）は、直接に且つ中間モジュールを使用することなく、前記電気的接続部（３ｂ，３ｃ，３ｄ）で前記インプット側に、且つ、前記送出フィーダ（４；４０，４２）で前記アウトプット側に、取り付けられている。
【請求項３】
下記特徴を有する請求項１に記載の電気的スイッチング装置（１）：
前記電気的接続部（３ｂ，３ｃ，３ｄ）は、縦方向に向けて、前記ディスコネクタ平面（Ｔ１２）内で前記ディスコネクタ角度（α）で曲げられている。
【請求項４】
下記特徴を有する請求項１から３のいずれか１項に記載の電気的スイッチング装置（１）：
前記送出フィーダ（４，４０）は、屋外ブッシング（４，４０）であり、
前記電気的接続部（３ｂ，３ｃ，３ｄ）は、縦方向に向けて、上向きに、前記ディスコネクタ平面（Ｔ１２）内で前記ディスコネクタ角度（α）で曲げられている。
【請求項５】
下記特徴を有する請求項１から４のいずれか１項に記載の電気的スイッチング装置（１）：
前記送出フィーダ（４，４２）は、送出ケーブル（４，４２）であり、
前記電気的接続部（３ｂ，３ｃ，３ｄ）は、縦方向に向けて、下向きに、前記ディスコネクタ平面（Ｔ１２）内で前記ディスコネクタ角度（α）で曲げられている。
【請求項６】
下記特徴を有する請求項１から５のいずれか１項に記載の電気的スイッチング装置（１）：
前記中央軸（Ｈ１，Ｈ２）は、縦方向に対して位置角度（γ）を有し、
ａ）  この位置角度（γ）は、３０°＜γ＜１５０°、好ましくは、６０°＜γ＜１２０°、特に好ましくは、８０°＜γ＜１００°  の範囲内にあり、特に、γ＝９０°  であり；および／または、
ｂ）  前記ディスコネクタ角度（α）は、３０°＜α＜１５０°、好ましくは、６０°＜α＜１２０°、特に好ましくは、８０°＜α＜１００°  の範囲内にあり、特に、α＝９０°  である。
【請求項７】
下記特徴を有する請求項６に記載の電気的スイッチング装置（１）：
前記ディスコネクタ角度（α）及び前記位置角度（γ）は、前記送出フィーダ（４；４０，４２）が、縦方向に対して、最大で６０°、好ましくは最大で４５°、特に好ましくは最大で３０°の角度で、離れる方向にガイドされるように互いに適合されている。
【請求項８】
下記特徴を有する請求項１から７のいずれか１項に記載の電気的スイッチング装置（１）：
ａ）  屋外ブッシング（４，４０）を備えた送出フィーダの場合には、前記ディスコネクタ角度（α）と前記位置角度（γ）の和は、１３０°＜α＋γ＜２３０°、好ましくは、１４０°＜α＋γ＜２２０°、特に好ましくは、１５０°＜α＋γ＜２１０°  の範囲内にあり、特に、α＋γ＝１８０°  であり；および／または、
ｂ）  送出ケーブル（４，４２）の場合には、前記ディスコネクタ角度（α）と前記位置角度（γ）の差は、−５０°＜α−γ＜５０°、好ましくは、４０°＜α−γ＜４０°、特に好ましくは、−３０°＜α−γ＜３０°  の範囲内にあり、特に、α−γ＝０°  である。
【請求項９】
下記特徴を有する請求項１から８のいずれか１項に記載の電気的スイッチング装置（１）：
ａ）前記アングル・ディスコネクタ（７）は、前記電気的接続部（３ｂ，３ｃ，３ｄ）に、回転された方位で固定的に取り付けられ、前記ディスコネクタ平面（Ｔ１２）と縦方向の基準平面の間の回転角度（β）が、前記インプット軸（Ｔ１）により予め定められることが可能であり；
ｂ）  特に、前記回転角度（β）は、０°＜｜β｜＜７０°、好ましくは、０°＜｜β｜＜５０°、特に好ましくは、０°＜｜β｜＜３０°  の範囲内であり、且つ、特にピッチ・サークル取り付けフランジ上での角度間隔により決定され；
ｃ）  特に、送出ケーブル（４，４２）の場合には、前記回転角度（β）は、１１０°＜｜β｜＜１８０°、好ましくは、１３０°＜｜β｜＜１８０°、特に好ましくは、１５０°＜｜β｜＜１８０°  の範囲内にある。
【請求項１０】
下記特徴を有する請求項１から９のいずれか１項に記載の電気的スイッチング装置（１）：
複数のマントル側の、非縦方向の電気的接続部（３ｂ，３ｃ，３ｄ）が、設けられ、そのそれぞれが、アングル・ディスコネクタ（７）を介して、送出フィーダ（４；４０，４２）に直接、特に、屋外ブッシング（４，４０）および／または送出ケーブル（４，４２）に接続されている。
【請求項１１】
下記特徴を有する請求項１０に記載の電気的スイッチング装置（１）：
ａ）  前記電気的接続部（３ｂ，３ｃ，３ｄ）は、前記長手方向の軸（１ａ，ｘ）に沿って、互いに対してオフセットされて配置され；および／または、
ｂ）  前記電気的接続部（３ｂ，３ｃ，３ｄ）は、前記スイッチング装置（１）のハウジング（３）を通る縦方向の長手方向の平面に対して、互いに反対側に配置されている。
【請求項１２】
下記特徴を有する請求項１から１１のいずれか１項に記載の電気的スイッチング装置（１）：
ａ）  それに加えて、屋外ブッシング（４，４０）のためまたは付加的なデバイスのための、少なくとも一つのマントル側の、縦方向の接続部（３ａ）が設けられ；および／または、
ｂ）  それに加えて、屋外ブッシングのためまたは付加的なデバイスのための、少なくとも一つの末端側の接続部が設けられている。
【請求項１３】
下記特徴を有する請求項１から１２のいずれか１項に記載の電気的スイッチング装置（１）：
ａ）  前記スイッチング装置（１）は、単相密閉型であって、そのようなスイッチング装置（１）の三つのフェーズが、互いに平行に配置され；
ｂ）  前記アングル・ディスコネクタ（７）は、共通のディスコネクタ・ドライブ（７０）により、共通のドライブ・ロッド（１０）を介して駆動される。
【請求項１４】
下記特徴を有する請求項１から１３のいずれか１項に記載の電気的スイッチング装置（１）：
ａ）  前記ハウジング（３）の長手方向の軸（１ａ，ｘ）は、水平方向にあり；
ｂ）  前記ハウジング（３）の断面プロファイルは、全体的にまたは部分的に、円形、楕円形、矩形、多角形であるように形成されている。
【請求項１５】
下記特徴を有する請求項１から１４のいずれか１項に記載の電気的スイッチング装置（１）：
ａ）  前記スイッチング装置（１）は、高電圧サーキット・ブレーカ（１）またはヘビーデューティー・スイッチであり；および／または、
ｂ）  前記スイッチング装置（１）は、屋外用送出フィーダまたは送出ケーブルを備えた、デッド・タンク・ブレーカ（１）、ＡＩＳ／ＧＩＳハイブリッド・スイッチ（１）、またはＧＩＳスイッチである。
【請求項１６】
下記特徴を有する請求項１から１５のいずれか１項に記載の電気的スイッチング装置（１）：
ａ）  前記アングル・ディスコネクタ（７）は、標準的なコンビネーション・ディスコネクタ（７）あって、このコンビネーション・ディスコネクタは、ガス絶縁式のスイッチギア・アセンブリのためにデザインされ、且つディスコネクタの接触部（２０）および／または接地スイッチの接触部（１９）を備えた変位可能な二つのパーツからなる接触要素（１８）を有し；
ｂ）  特に、前記ディスコネクタの接触部（２０）および／または前記接地スイッチの接触部（１９）は、接触チューブ（２０，１９）であって、これらの接触チューブは、保持要素（２２）に着脱可能に固定され、且つ、この保持要素（２２）は、ディスコネクタ・ドライブ（２３，７０）を介して、リニアに変位可能である。
【請求項１７】
下記特徴を有する請求項１から１６のいずれか１項に記載の電気的スイッチング装置（１）：
ａ）  前記サーキット・ブレーカ（２）の前記マントル側電気的接続部（３ｂ，３ｃ，３ｄ）の中央軸（Ｈ１，Ｈ２）は、水平方向にあり；
ｂ）  前記ディスコネクタ角度（α）は、８０°＜α＜１００°  の範囲内にあり、特に、α＝９０°  である。
【請求項１８】
下記特徴を有する請求項１から１７のいずれか１項に記載の電気的スイッチング装置（１）：
ａ）  前記アングル・ディスコネクタ（７）は、Ｔ字型を有していて、その中に第一のディスコネクタ開口（１２）が、前記インプット軸（Ｔ１）に沿って設けられ、且つ、この向かい側に、第三のディスコネクタ開口（１４）が設けられ、且つ第二のディスコネクタ開口（１３）が、前記アウトプット軸（Ｔ２）に沿って設けられ；
ｂ）  特に、前記アングル・ディスコネクタ（７）は、直角のＴ字型を有していて、その中で、前記アウトプット軸（Ｔ２）は、前記インプット軸（Ｔ１）に対して直角であり、且つ切り離し経路（Ｔ）および／または接地経路（Ｅ）が、前記アウトプット軸（Ｔ２）に沿って配置されている。
【請求項１９】
スイッチ・アレンジメント（１ｂ）であって、請求項１から１７の何れか１項に基づいて構成された少なくとも一つの電気的スイッチング装置（１）により特徴付けられるスイッチ・アレンジメント。
【請求項２０】
下記特徴を有する請求項１９に記載のスイッチ・アレンジメント（１ｂ）：
請求項１８に基づくＴ字型を備えたアングル・ディスコネクタ（７）が設けられ、それによって、二つのサーキット・ブレーカ（２）が、マントル側で互いに接続されている。
【請求項２１】
下記特徴を有する請求項１９または２０に記載のスイッチ・アレンジメント（１ｂ）：
ａ）  三つのスイッチング装置（１）が、１-1/2 スイッチ・アレンジメントの中で、アングル・ディスコネクタ（７）を介して、互いに接続され；
ｂ）  特に、前記スイッチング装置（１）は、水平方向に且つ互いに対して平行に配置されている。
【請求項２２】
下記特徴を有する請求項２１に記載のスイッチ・アレンジメント（１ｂ）：
ａ）  前記中央スイッチング装置（１）は、前記アングル・ディスコネクタ（７）を介して、二つのマントル側の、水平の電気的接続部（３ｂ，３ｄ）で、二つの他のスイッチング装置（１）に接続され、それらの電気的接続部は、互いに対して軸方向にオフセットされ；
ｂ）  前記アングル・ディスコネクタ（７）は、直角のＴ字型を有していて、且つ、それらのインプット軸（Ｔ１）に沿って、もう一方のスイッチング装置（１）に接続され、そして、そのそれぞれは、それらのアウトプット軸（Ｔ２）に沿って送出フィーダ（４；４０，４２）に接続され、特に、頂上部付近で屋外ブッシング（４，４０）に接続され、または、底部付近で送出ケーブル（４，４２）に接続されている。
【請求項２３】
下記特徴を有する請求項２１または２２に記載のスイッチ・アレンジメント（１ｂ）：
ａ）  前記アングル・ディスコネクタ（７）の内の少なくとも一つは、そのインプット軸（Ｔ１）に沿って、もう一方のスイッチング装置（１）に、そして、そのアウトプット軸（Ｔ２）に沿って、前記送出フィーダ（４；４０，４２）に、直接に且つ中間モジュールを使用することなく接続され；および／または、
ｂ）  前記アングル・ディスコネクタ（７）の内の少なくとも一つは、そのインプット軸（Ｔ１）に沿って両側で、それぞれ一つの更なるアングル・ディスコネクタ（７）を介して、もう一方のスイッチング装置（１）接続されている。
【請求項２４】
下記特徴を有する請求項２１に記載のスイッチ・アレンジメント（１ｂ）：
ａ）  前記中央スイッチング装置（１）は、前記アングル・ディスコネクタ（７）を介して、二つのマントル側の、縦方向の電気的接続部（３ａ）で、二つの他のスイッチング装置（１）に接続され、それらの電気的接続部は、互いに対して軸方向にオフセットされ；
ｂ）  前記アングル・ディスコネクタ（７）は、直角のＴ字型を有していて、且つ、それらのインプット軸（Ｔ１）に沿って、それぞれ一つの更なるアングル・ディスコネクタ（７）を介して、もう一方のスイッチング装置（１）に接続され、そして、それらのアウトプット軸（Ｔ２）に沿って、頂上部付近または底部付近で、それぞれ送出フィーダ（４；４０，４２）に接続されている。
【請求項２５】
下記特徴を有する請求項１９から２４のいずれ１項に記載のスイッチ・アレンジメント（１ｂ）：
ａ）  前記スイッチ・アレンジメント（１ｂ）のディスコネクタ（７）の全ては、請求項１６の特徴を備えたアングル・ディスコネクタ（７）であり；
ｂ）  それらのインプット軸（Ｔ１）に沿って、第一のディスコネクタ開口（１２）を有し、且つ、それらのアウトプット軸（Ｔ２）に沿って、第二のディスコネクタ開口（１３）を有し、そしてもし必要な場合には、前記第一のディスコネクタ開口（１２）の向かい側に、第三のディスコネクタ開口（１４）を有している。
【発明の詳細な説明】
【技術分野】
【０００１】
本発明は、高電圧エンジニアリングの分野、特に電気的エネルギー分配システムにおけるサーキット・ブレーカの分野に係る。本発明は、独立特許請求項の前提書き部分に基づく、電気的スイッチング装置及びスイッチング装置に基づいている。
【背景技術】
【０００２】
本発明は、DE 24 27 451 に基づく先行技術に基づいている。この文献は、移送の目的で旋回されることが可能である屋外ブッシングを備えたガス絶縁式ハイブリッド・スイッチを開示している。この屋外ブッシングは、電気的接続部フランジ上のサーキット・ブレーカのマントルに取り付けられることが可能であり、それらの電気的接続部フランジは、横方向に（水平方向に）または頂上部に（縦方向に）配置されている。それに加えて、末端側の電気的接続部が設けられることが可能である。このサーキット・ブレーカにより、二つのマントル側電気的接続部が、スイッチ軸を通る共通の平面の中に配置される。オプションとして、ディスコネクタがスイッチ・ハウジングの中に設けられることが可能である。
【０００３】
DE 29 29 054 A1 は、マルチ・チャンバー・サーキット・ブレーカを開示している。このサーキット・ブレーカは、屋外ブッシングのための末端側の電気的接続部を有し、その屋外ブッシングは、縦方向に外に向けてガイドされ、且つ、水平方向に外に向けてガイドされるガス絶縁式バスバーの上にある。リニアなディスコネクタが、中間モジュールを介して、送出フィーダにフランジを用いて接続されている。
【０００４】
DE 100 13 232 A1 において、二つのポリ・フェーズ密閉型のサーキット・ブレーカが、水平方向に配置され、且つ、マントル側電気的接続部フランジが設けられ、これらのフランジは、タンクの上の頂上部に配置される。電気的接続部またはそれらの中央軸はまた、スイッチ軸を通る共通の縦方向の長手方向の平面に配置され，縦方向に上向きに外に向けてガイドされている。ディスコネクタ及び接地スイッチ機能を備えた９０度の角度のモジュールが、ＧＩＳ側電気的接続部に配置される。電気的接続部は、直角のディスコネクタによって水平に曲げられ、それ故に、水平方向に配置されたＧＩＳバスバーに接続されることが可能である。
【０００５】
DE 100 11 888 A1 は、三相高電圧スイッチギア・アセンブリのための、それぞれ三つの平行なサーキット・ブレーカの５つのグループを有するＨ回路を開示している。
【０００６】
これらのサーキット・ブレーカは、水平方向に配置され、電気的接続部または電気的接続部フランジを有しており、それらのフランジは、上向きに縦方向に外に向けてガイドされ、上向きに屋外に向けてガイドされ、ＧＩＳ側で、直角のディスコネクタを介して水平方向に曲げられている。これらのサーキット・ブレーカには、ＧＩＳ側に末端側の電気的接続部が設けられることも可能であり、ここで、アセンブリのＧＩＳ側のモジュールの全てが、共通の水平の平面の中に配置される。
【０００７】
DE 100 32 656 A1 は、二つのマントル側のコネクタを備えた水平の“デッド・タンク・ブレーカ”を開示している。これらのコネクタは、スイッチ軸を通る縦方向の長手方向の平面の中に配置され、それらのフランジ平面は、水平方向に延びている。二つの屋外ブッシングが、アーチ型のベース部を介して、接続フランジの上に配置され、それにより、それらのブッシングが、上向きに互いに離れる方向にガイドされ、且つ、縦方向の長手方向の平面内でＶ字の形となるように構成される。それらのコネクタは、水平方向に一様に並べられることも可能であり、その結果、それらのフランジ平面が縦方向に延びることになる。この場合には、第一のコネクタは、ガス絶縁式のスイッチギア・アセンブリ（ＧＩＳ）に接続され、第二のコネクタは、屋外ブッシングを介して、架空ラインまたはトランスに接続される。この場合には、屋外ブッシングは、アーチ型のベース部の助けにより、水平方向からガイドされ、スイッチ軸に対して直角の縦方向の平面（横断面）内で、角度を付けて上向きに外に向けてガイドされる。
【０００８】
EP 0 744 758 A2 は、マントル側電気的接続部を備えた送出ケーブルのためのサーキット・ブレーカを開示している。それらの電気的接続部は、僅かに発散する形態で上向きにガイドされている。送出フィーダ・スイッチ・ディスコネクタが、送出ケーブルの中に設けられている。一つのフェーズに対応する二つの電気的接続部またはそれらの中央軸が、スイッチ軸を通る共通の平面（長手方向の平面）の中で、それぞれ、サーキット・ブレーカ・ハウジング上に配置されている。三相のスイッチング装置が、互いに隣り合わせに長手方向に配置された三つのサーキット・ブレーカにより実現され、それらのサーキット・ブレーカは単相密閉型または三相密閉型である。両者の場合において、外側のフェーズのための電気的接続部または送出ケーブルの平面は、スイッチ軸の周りで、外向きに傾けられ、その角度は、中央フェーズの電気的接続部の縦方向に向けられた平面から約４５度である。
【０００９】
DE 103 25 681 B3 は、ガス絶縁式のハイブリッド・スイッチング装置を規定している。このハイブリッド・スイッチング装置において、サーキット・ブレーカの長手方向の軸が、水平方向及び縦方向から４５度の角度で傾くように配置されている。第一の電気的接続部フランジが、末端側に設けられ、第二及び第三の電気的接続部フランジが、マントル側のサーキット・ブレーカの上に設けられている。電気的接続部またはそれらの中央軸の全ては、共通の縦方向の平面を通るスイッチ軸（長手方向の平面）の中に配置されている。この場合において、第二の、マントル側電気的接続部は、エルボー型のフランジを介して、あるいはエルボー型の接続ピースを介して、縦方向に上向きに曲げられ、第三の、マントル側電気的接続部は、サーキット・ブレーカの長手方向の軸に対して、径方向に外に向けてガイドされる。結果として、屋外ブッシングは、電気的接続部で対称的に区分されるように、上向きに外に向けてガイドされることが可能である。リニアなディスコネクタが、屋外ブッシングの中に設けられる。
【００１０】
DE 103 25 684 A1 は、関連するガス絶縁式のハイブリッド・スイッチング装置を規定している。このハイブリッド・スイッチング装置において、順に、スイッチの長手方向の軸が、角度を付けて上向きに向けられ、屋外ブッシングのための第一の末端側且つ第二のマントル側電気的接続部フランジが設けられる。
【００１１】
EP 1 249 910 A1 は、水平方向に配置された、三相密閉型または単相密閉型の高電圧サーキット・ブレーカを開示している。このサーキット・ブレーカは、二つのマントル側電気的接続部を有し、それらの電気的接続部は、縦方向に上向きに向けられ、架空ラインまたはトランスの送出フィーダのための、ＧＩＳダブル・バスバー・ケーブル及び二つの末端側の電気的接続部を形成している。
【００１２】
EP 0 735 637 B1 は、一体型の３位置ディスコネクタを備え、水平方向に配置された、三相密閉型または単相密閉型のサーキット・ブレーカを開示している。二つのディスコネクタ送出フィーダは、スイッチの長手方向の軸に対して直角の平面（横断面）の中で、マントル側で、Ｖ字の形態で上向きに外に向けてガイドされている。更なるコンポーネント、及び送出フィーダ・ディスコネクタもまた、スイッチ・ハウジングの中に配置されている。
【００１３】
ガス絶縁式ハウジングを備えた上記のサーキット・ブレーカ（“デッド・タンク・ブレーカ”、屋外ＧＩＳハイブリッド・スイッチ、ＧＩＳスイッチ）の場合には、屋外ブッシングは、原則として、上向きに外に向けてガイドされる必要がある。上記の先行技術において、このことは、マントル側で頂上部に配置され、且つ実質的に縦方向に上向きに向けられた電気的接続部を介して、直接にもたらされるか、あるいは、末端側で水平、またはマントル側で水平であって、且つ付加的な曲げモジュールを介して９０度、またはことによると４５度、水平方向から上向きに曲げられた電気的接続部を介して、間接的にもたらされる。
【００１４】
EP 1 569 254 は、オプションのディスコネクタおよび／または接地スイッチ機能を備えた密閉型のコンビネーション・ディスコネクタを開示している。
【特許文献１】独国特許第 DE 24 27 451 号明細書
【特許文献２】独国特許出願公開第 DE 29 29 054 A1 号明細書
【特許文献３】独国特許出願公開第 DE 100 13 232 A1 号明細書
【特許文献４】独国特許出願公開第 DE 100 11 888 A1 号明細書
【特許文献５】独国特許出願公開第 DE 100 32 656 A1 号明細書
【特許文献６】欧州特許出願公開第 EP 0 744 758 A2 号明細書
【特許文献７】独国特許第 DE 103 25 681 B3 号明細書
【特許文献８】独国特許出願公開第 DE 103 25 684 A1 号明細書
【特許文献９】欧州特許出願公開第 EP 1 249 910 A1 号明細書
【特許文献１０】欧州特許第 EP 0 735 637 B1 号明細書
【特許文献１１】欧州特許第 EP 1 569 254 号明細書
【発明の開示】
【００１５】
本発明の目的は、ガス絶縁式のスイッチング装置、及び、そのようなスイッチング装置を備えたスイッチ・アレンジメントを提供することにあり、このスイッチング装置は、従来のもの比べて、よりコンパクトなサイズで、よりシンプルなデザインで、且つ様々なスイッチング装置にフレキシブルなやり方で適合されることが可能である。この目的は、本発明に基づき、独立請求項の特徴により実現される。
【００１６】
本発明は、電気的エネルギー供給システムのための電気的スイッチング装置、特に高電圧スイッチに係り、この電気的スイッチング装置は、サーキット・ブレーカと、密閉型のアングル・ディスコネクタと、ディスコネクタ平面とを有している。前記サーキット・ブレーカはハウジングの中に配置され、このハウジングは長手方向の軸に沿って伸びている。前記ハウジングは、そのマントル面に少なくとも一つのマントル側電気的接続部を有し、その電気的接続部は、送出フィーダを接続するために使用され、且つ、中央軸を有し、この中央軸は、スイッチング装置の運転位置において、水平方向の成分、即ち縦方向ではない成分を有している。前記密閉型のアングル・ディスコネクタは、そのインプット軸が電気的接続側で中央軸に対して平行に配置され、且つそのアウトプット軸が送出フィーダ側で、送出フィーダの長手方向の軸に対して平行に配置され、当該アングル・ディスコネクタは、マントル側電気的接続部と送出フィーダの間に取り付けられている。それに加えて、前記ディスコネクタ平面は、インプット軸とアウトプット軸により規定され、ディスコネクタ角度αがインプット軸とアウトプット軸の間で形成され、その角度によって、前記電気的接続部が、ディスコネクタ平面内で、スイッチング装置の運転位置において曲げられることになる。
【００１７】
前記電気的接続部が、ハウジング上のコネクタにより、そして好ましくはハウジング上のフランジの形態で、実現されることが可能である。この場合において、“ディスコネクタ”と言う用語は、それにより、送出フィーダが切り離されおよび／またはアースに接続されることが可能であるところの全てのスイッチング装置を含むものを、意味している。本発明によれば、送出フィーダは、切り離されおよび／またはアースに接続されることが可能であって、それ故に、ハウジング・マントル上のマントル側の、非縦方向のアウトプットを介して、極めて省スペース的なやり方で、密閉型のサーキット・ブレーカ上に設けられる。
【００１８】
請求項２に基づく実施形態の例は、次のような優位性を有している。即ち、これまで必要とされていた密閉型の中間モジュール、例えばボール曲げピース、角度ピースなどが、省略されることが可能であり、それにも拘わらず、送出フィーダでのディスコネクタ機能および／または接地スイッチ機能が実現される。
【００１９】
請求項３−５に基づく実施形態の例は、次のような優位性を有している。即ち、アングル・ディスコネクタにより、同時に、屋外ブッシング及び送出ケーブルの好ましい送出フィーダの角度が実現されることが可能である。
【００２０】
請求項６−８に基づく実施形態の例は、次のような優位性を有している。即ち、電気的接続部の各マントル側の位置に対して、位置とディスコネクタ角度を適合させることにより、送出フィーダの長手方向の軸が、屋外ブッシングの場合には上向きに、そして送出ケーブルの場合には下向きに、十分な傾斜を有した状態で、水平方向から外に向けてガイドされることが可能である。
【００２１】
請求項９に基づく実施形態の例は、次のような優位性を有している。即ち、回転角度βが、付加的な自由度をもたらし、それにより、屋外ブッシングが、高いフレキシビリティを有して架空ラインなどあるいは送出ケーブルに、所望の送出フィーダ方向で、サーキット・ブレーカ・ハウジングの上のマントル側の送出フィーダの上であっても、接続されることが可能である。
【００２２】
請求項１０−１３は、複数の屋外用送出フィーダおよび／または送出ケーブルについての好ましい形態に関するものであって、それらは、フランジを介してサーキット・ブレーカに接続される。
【００２３】
特にコスト効率が良いのは、ディスコネクタおよび／または接地スイッチ機能を備えた標準的なコンビネーション・ディスコネクタの、アングル・ディスコネクタ（オプションとしてＴ字型である）としての、屋外用送出フィーダまたは送出ケーブルでの、請求項１６−１８に基づく使用である。
【００２４】
本発明の主題はまた、先に示されたようなスイッチ・デバイスを備えたスイッチ・アレンジメント、特に １-1/2 スイッチ・アレンジメントである。
【発明を実施するための最良の形態】
【００２５】
本発明の更なる実施形態、優位性及び用途は、従属請求項から、請求項の組み合わせから、そして以下の説明及び図から、もたらされる。
【００２６】
これらの図において、同一の参照符号が、同一の部分に対して使用されており、繰り返される部分に対する参照符号は、時により省略されている。
【００２７】
図１ａ，１ｂは、スイッチング装置１の第一の実施形態の例を、単純化された形態で示している。このスイッチング装置は、ハウジング３の中にサーキット・ブレーカ２を収容し、そのハウジングは、中央軸１ａ，ｘに沿って伸びている。ハウジング３は、そのマントル面２ａに、少なくとも一つのマントル側電気的接続部３ｂを有していて、この電気的接続部は、屋外ブッシング４，４０を接続するために使用される。屋外用送出フィーダ４，４０は、典型的に、架空ラインまたはトランスに導かれる。一般的に、屋外用送出フィーダ４，４０の代わりに、常に、送出ケーブル４，４２が設けられることも可能である（図２ｃ）。
【００２８】
電気的接続部３ｂは、中央軸Ｈ１を有し、この中央軸は、サーキット・ブレーカ２から外に向けてガイドされ、且つ、スイッチング装置１の運転位置において、水平方向の空間成分（ｘ，ｙ平面内にある）を有している。更にまた、密閉型のアングル・ディスコネクタ７が設けられ、そのインプット軸Ｔ１は、電気的接続部の側で中央軸Ｈ１に対して平行であり、そのアウトプット軸Ｔ２は、ブッシング側で屋外ブッシング４の長手方向の軸Ｂに対して平行である。この場合には、ディスコネクタおよび／または接地スイッチ機能（角度付のコンビネーション・ディスコネクタ）を備えた所望の角度モジュールは、アングル・ディスコネクタ７と呼ばれる。ディスコネクタ平面Ｔ１２が、インプット軸Ｔ１とアウトプット軸Ｔ２により規定され、切り離し角度αが、インプット軸Ｔ１とアウトプット軸Ｔ２の間に形成される。
【００２９】
本発明によれば、アングル・ディスコネクタ７が、マントル側の電気的接続部３ｂと送出フィーダ４の間に取り付けられ、それによって、電気的接続部３ｂが、スイッチング装置１の運転位置において、ディスコネクタ平面Ｔ１２内で曲げられることになる。このようにして、送出フィーダ４を屋外へまたはケーブルの中へ、外に向けてガイドするための広い角度スペクトルが、アングル・ディスコネクタの助けにより、もたらされる。この点に関する実施形態の例を以下において示す。
【００３０】
それに加えて、図１ａ，１ｂは、以下を示している：
屋外ブッシング４の末端での高電圧の接続部４０；
左手側に、サーキット・ブレーカ２のためのスイッチ５を接続するための末端側の接続フランジ５ａ（あまり詳細には示されていない）；
右手側に、圧力リリーフバルブ６を備えた末端側の接続フランジ６ａ。  
ディスコネクタ／接地スイッチ・ドライブ７０が、アングル・ディスコネクタ７の上に取り付けられる。更にまた、付加的なハウジング・モジュールが、スイッチング装置１に設けられることが可能である、それは、例えば、電力コンバータ８または電圧コンバータ、曲げモジュール、接続モジュール、ディスコネクタ／接地スイッチ・モジュール、などであり、それらは、図には示されていない。
【００３１】
スイッチング装置１は、取り付けフレーム９、コンンクリート基台などの上に取り付けられる。このスイッチング装置１は、デッド・タンク・ブレーカ１、屋外用送出フィーダまたは送出ケーブルを備えたＡＩＳ／ＧＩＳハイブリッド・スイッチ１またはＧＩＳスイッチであることが可能である。このスイッチング装置１は、所望のサーキット・ブレーカ２を収容することが可能であり、それは、例えば、高電圧のサーキット・ブレーカ１、またはことによると、ヘビーデューティー・スイッチまたは高電流サーキット・ブレーカまたはジェネレータ・サーキット・ブレーカなどである。典型的には（必ずしもそうでなくても良いが）ハウジング３の長手方向の軸１ａ，ｘは、水平方向に揃えられる。ハウジング３の断面プロファイルは、全体的にまたは部分的に、円形、楕円形、矩形、または多角形であるように、形成されても良い。
【００３２】
好ましくは、本発明に基づく送出フィーダ４の横方向のフランジ接続部のアングル・ディスコネクタ７は、直接に且つ中間モジュールを使用することなく、インプット側で電気的接続部３ｂに、アウトプット側で送出フィーダ４に、それぞれ取り付けられる。結果として、密閉型の接続部が、電気的接続部３ｂと送出フィーダ４の間に、直接に且つ中間モジュールを使用することなく、設けられる。
【００３３】
好ましくは、電気的接続部３ｂ，３ｃ，３ｄは、縦方向に向けて、ディスコネクタ平面Ｔ１２の中で、ディスコネクタαにより曲げられる。特に、屋外ブッシング長手方向の軸Ｂの屋外用送出フィーダ４，４０に対して要求される方位は、空に向けて実現され、あるいは、送出ケーブル４，４２に対しては、地面に向けて、またはことによると、空に向けて実現される。多層型アセンブリの場合には、送出フィーダが、縦方向に向けて曲げられることにより、屋外ブッシングに対して、底部に設けられことも可能である。
【００３４】
更なる実施形態の例において、中央軸Ｈ１は、縦方向との間で、位置角度γを形成し、この位置角度γは、３０°＜γ＜１５０°、好ましくは、６０°＜γ＜１２０°、特に好ましくは、８０°＜γ＜１００°  の範囲内であり、特に、γ＝９０°  である。更にまた、ディスコネクタ角度αは、３０°＜α＜１５０°、好ましくは、６０°＜α＜１２０°、特に好ましくは、８０°＜α＜１００°  の範囲内であることが可能であり、特に、α＝９０°  であることが可能である。特に、ディスコネクタ角度α及び位置角度γは、送出フィーダ４が、縦方向に向けて上向きまたは下向きに外に向けて、最大６０°、好ましくは、最大４５°、特に好ましくは、最大３０°でガイドされるように、互いに対して適合される。
【００３５】
好ましくは、屋外ブッシング４，４０を備えた送出フィーダの場合には、ディスコネクタ角度αと位置角度γの（数値的な）総和は、１３０°＜α＋γ＜２３０°、好ましくは、１４０°＜α＋γ＜２２０°、特に好ましくは、１５０°＜α＋γ＜２１０°  の範囲内となるように選択され、特に、α＋γ＝１８０°  に等しくなるように選択される。結果として、屋外ブッシングの長手方向の軸Ｂの好ましい方位は、頂上部で空に向けて、実現され、同時に、良好なアクセサビリティが、運転者を高電圧に曝すリスク無しに、スイッチの領域内のフロア上で実現される。
【００３６】
更にまた、送出ケーブル４，４２の場合には、ケーブル４３（図２ｃ）を地面に向けて下向きに外に向けてガイドするために、ディスコネクタ角度αと位置角度γの和は、好ましくは、−５０°＜α−γ＜５０°、好ましくは、−４０°＜α−γ＜４０°、特に好ましくは、３０°＜α−γ＜３０°  の範囲内であり、特にα−γ＝０°  である。
【００３７】
それに加えて、アングル・ディスコネクタ７は、回転された方位で、電気的接続部３ｂの上に、固定的に取り付けられることが可能であり、縦方向の基準平面とディスコネクタ平面Ｔ１２の間の回転角度βが、インプット軸Ｔ１により予め定められることが可能である。このようにして、屋外ブッシング４，４０が、傾けられた切り離し平面Ｔ１２内で、縦方向から傾斜角度βだけ傾いた状態で、上向きに外に向けてガイドされることが可能である。
【００３８】
特に、回転角度βは、０°＜｜β｜＜７０°、好ましくは、０°＜｜β｜＜５０°、特に好ましくは、０°＜｜β｜＜３０°  の範囲内であることが可能である。この回転角度βは、電気的接続部３ｂ上のピッチ・サークル取り付けフランジ上で、そしてディスコネクタ・インプット・フランジ上で、角度間隔により決定されることが可能である。底部での送出ケーブル４，４２の場合には、回転角度βは、１１０°＜｜β｜＜１８０°、好ましくは、１３０°＜｜β｜＜１８０°、特に好ましくは、１５０°＜｜β｜＜１８０°  の範囲内とすべきである。
【００３９】
好ましくは、且つ図に示されているように、中央軸Ｈ１またはＨ２は、水平方向にあり、ディスコネクタ角度αは、８０°＜α＜１００°  の範囲にあり、特に、α＝９０°  である。結果として、送出フィーダ４、即ち屋外ブッシング４，４０；Ｂ，Ｃ，Ｄまたは送出ケーブル４，４２；Ｃが、頂上部で（−７０°＜β＜７０°）または底部で（１１０°＜｜β｜＜１８０°）、ディスコネクタ平面Ｔ１２内でガイドされることが可能であり、ここで、回転角度βの周りでの傾動運動が加えられることも可能であり、特に、送出フィーダ４が、垂直に上向きに（β＝０°）または垂直に下向きに（β＝±１８０°）、ガイドされることが可能である。
【００４０】
それに加えて、図１ａ，１ｂにおいては、長手方向の軸Ａを備えた更なる屋外ブッシング４のための、または付加的なデバイスための、マントル側の縦方向の接続部３ａが設けられている。それに加えて、代替形態としてまたは補足的なやり方として、屋外ブッシングのための、または付加的なデバイスのための、少なくとも一つの末端側の接続部が設けられることも可能である。図２ｃに例として示したように、高応答速度の接地スイッチ７１が、アングル・ディスコネクタ７と送出フィーダ４，４２の間に設けられることも可能である。
【００４１】
好ましくは、図２ａ，２ｂ，２ｃ，３，４ａ，４ｂ及び図５ａ，５ｂ，６に示されているように、複数のマントル側の、非縦方向の電気的接続部３ｂ，３ｃ，３ｄが設けられ、それらの電気的接続部は、長手方向の軸Ｂ，Ｃ，Ｄに沿って伸びる屋外ブッシング４，４０または送出ケーブル４２に、それぞれアングル・ディスコネクタ７を介して、直接に接続される。電気的接続部３ｂ，３ｃ，３ｄは、それらが、互いに反対側で、特に互いに向かい合う状態で、長手方向の軸１ａ，ｘに沿って互いに対してオフセットされるように、および／または、スイッチング装置１のハウジング３を通る縦方向の長手方向の平面に対してオフセットされるように、配置されることが可能である（図３，４ａ，４ｂ，５ａ，５ｂ，６）。
【００４２】
以上おいて述べたことは全て、同様に、これらの送出フィーダ４；４０，４２；Ｂ，Ｃ，Ｄに対しても適用され、それらは、マントル側で電気的接続部３ａ，３ｃ，３ｄに横方向に接続される。特に、傾斜角度βは異なることが可能であり、好ましくは、ブッシング４；Ｂ，Ｃ，Ｄに対して傾斜し、例えば、β＝０°、及び、β＜４５°（図２ａ，２ｂ）、または、それぞれ、例えば、反対の回転方向及び符号で、｜β｜＜４５°  である（図４ａ，４ｂあるいは５ａ，５ｂ，６，７）。
【００４３】
図２ｂ及び図４ｂの中で平面図の中に示されているように、スイッチング装置１は、単相密閉型であることが可能であり、そして、そのようなスイッチング装置１の三つのフェーズは、互いに隣合わせて平行に配置されることが可能である。この場合には、アングル・ディスコネクタ７は、共通のディスコネクタ・ドライブ７０により、共通のドライブ・ロッド１０を介して、好ましくは駆動される。この共通のディスコネクタ駆動１０，７０は、それ自体としては知られているが、それ故に、本発明において、実現されることも可能であり、即ち、屋外ブッシング４，４０；Ｂ，Ｃ，Ｄのための、及び送出ケーブル４，４２；Ｃのための、アングル・ディスコネクタ７であって、本発明に基づいて横方向にフランジで接続され且つ傾けられることが可能である場合に、実現される。
【００４４】
本発明の主題はまた、請求項１に規定された少なくとも一つの電気的スイッチング装置１を備えたスイッチ・アレンジメント１ｂでもある。この場合に、密閉型のアングル・ディスコネクタ７が、マントル側電気的接続部３ｂ，３ｃ，３ｄと送出フィーダ４；４０，４２の間で、本発明に基づく少なくとも一つのスイッチング装置１の上に取り付けられ、電気的接続部の側のアングル・ディスコネクタのインプット軸Ｔ１は、中央軸Ｈ１，Ｈ２に対して平行であり、送出フィーダ側の前記アングル・ディスコネクタ７のアウトプット軸Ｔ２は、送出フィーダ４；４０，４２の長手方向の軸Ｂ，Ｃ，Ｄに対して平行であり、ディスコネクタ平面Ｔ１２がインプット軸Ｔ２及びアウトプット軸Ｔ２により規定され、そして、ディスコネクタ角度αがインプット軸Ｔ１とアウトプット軸Ｔ２の間に形成され、このディスコネクタ角度によって、電気的接続部３ｂ，３ｃ，３ｄが、スイッチング装置１の運転位置において、ディスコネクタ平面Ｔ１２内で曲げられる。
【００４５】
スイッチ・アレンジメント１ｂは、単一のバスバー装置（この点に関しては、図１−３に示されたスイッチング装置１を参照方）、ダブルのバスバー装置（この点に関しては、図４に示されたスイッチング装置１を参照方）、１-1/2 スイッチ・アレンジメント１ｂ（図５−７）、Ｈ回路などであることが可能である。
【００４６】
好ましくは、そして図５ａ，５ｂ，６に示されているように、アングル・ディスコネクタ７が設けられ、それにより、二つのサーキット・ブレーカ２が、マントル側で互いに接続される。送出フィーダ４，４０，４２は、その送出フィーダがアングル・ディスコネクタ７を介して曲げられるように、本発明に基づいてフランジを介して接続される。この場合、直角のディスコネクタ７は、Ｔ字型を有し、インプット軸Ｔ１に沿って、第一のディスコネクタ開口１２と、その向かい側に第三のディスコネクタ開口１４とを有し、アウトプット軸Ｔ２に沿って、第二のディスコネクタ開口１３を有している。第一及び第三のディスコネクタ開口１２，１４は、二つのサーキット・ブレーカ２を接続する目的で使用される。第二のディスコネクタ開口１３は、切り離し可能な送出フィーダ４のために使用される。
【００４７】
例として、１-1/2 スイッチ・アレンジメント１ｂにおいて、三つのスイッチング装置が、水平方向に及び互いに対して平行に配置され、アングル・ディスコネクタ７を介して互いに接続される。
【００４８】
図５ａ，５ｂに示されているように、中央スイッチング装置１は、互いに対して軸方向にオフセットされた二つのマントル側の、水平の電気的接続部３ｂ、３ｄで、アングル・ディスコネクタ７を介して、二つの他のスイッチング装置１に接続されることが可能である。アングル・ディスコネクタ７は、直角のＴ字型を有し、それらのインプット軸Ｔ１に沿って、もう一方のスイッチング装置１に接続され、それらのアウトプット軸Ｔ２に沿って、頂上部で送出フィーダ４；４０，４２、特に屋外ブッシング４，４０に、あるいは底部で送出ケーブル４，４２に、それぞれ接続される。
【００４９】
アングル・ディスコネクタ７の内の少なくとも一つは、そのインプット軸Ｔ１に沿って、もう一方のスイッチング装置１に、そのアウトプット軸Ｔ２に沿って、送出フィーダ４；４０，４２に、直接に且つ中間モジュールを使用することなく接続されることが可能である。図６に示されているように、アングル・ディスコネクタ７の内の少なくとも一つは、そのインプット軸Ｔ１に沿って両側で、一つの更なるアングル・ディスコネクタ７をそれぞれ介して、もう一方のスイッチング装置１に接続されることも可能である。
【００５０】
図７に示されているように、中央スイッチング装置１は、二つのマントル側の、縦方向の電気的接続部３ａで、アングル・ディスコネクタ７を介して、二つの他のスイッチング装置１に接続されることも可能であり、それらの電気的接続部は、互いに対して軸方向にオフセットされる。アングル・ディスコネクタ７は、次に、直角のＴ字型を有し、それらのインプット軸Ｔ１に沿って、一つの更なるアングル・ディスコネクタ７をそれぞれ介して、もう一方のスイッチング装置１に接続され、頂上部でまたは底部で、それらのアウトプット軸Ｔ２に沿って、それぞれ送出フィーダ４；４０，４２に接続される。
【００５１】
重要な実施形態の例において、アングル・ディスコネクタ７は、ガス絶縁式のスイッチギア・アセンブリのためにデザインされた標準的なコンビネーション・ディスコネクタ７である。図８は、好ましい例として、コンビネーション・ディスコネクタ７を示しており、これは、冒頭に説明した EP 1 569 254 A1 の主題であって、その全ての内容は、ここで、リファレンスとしてこの明細書に繰り入れられる。
【００５２】
詳細に説明すると、この図は、以下を示している：
アングル・ディスコネクタ・ハウジング１１の中の、インプット軸Ｔ１に沿った第一のディスコネクタ開口１２及び必然的に第二のディスコネクタ開口１３、及びアウトプット軸Ｔ２に沿った第三のディスコネクタ開口１４、ここで、インプット及びアウトプット軸Ｔ１、Ｔ２の役割は入れ替えられることが可能である；
ディスコネクタ軸Ｔ１及びＴ２に沿ったディスコネクタの導電体１５，１６，１７；
変位可能な二つのパーツからなる接触要素１８、この接触要素は、ディスコネクタの接触部２０および／または接地スイッチの接触部１９を有している；
可動接触要素１８を収容するための管状の導電体２１；
ディスコネクタの接触部２０および／または接地スイッチの接触部１９を着脱可能に固定するための保持要素２２、その接続部は、この場合には、接触チューブ２０，１９の形態であり、この保持要素２２は、ディスコネクタ・ドライバ２３，７０を介してリニアに変位可能である。
【００５３】
特に、“２３”はディスコネクタ・ドライブ・シャフトを、“２６”はネジ山が設けられたスピンドルを、“２７”はスピンドル・ナットを、“２８，２９及び３０”はスピンドル部分を、“３１”はスライド要素を、“３２”は少なくとも一つのガイド・レールを示している。スピンドル・ドライブの代わりに、リニアなスラスト・ドライブ、コンビネーションまたは他のタイプのコンビネーション・ディスコネクタ駆動が、使用されることも可能である。ディスコネクタ・コンタクト２５は、ディスコネクタ部分Ｅが閉鎖されたとき、ディスコネクタの接触部２０を収容する目的で使用される。接地コンタクト２４は、接地スイッチ部分Ｅが閉鎖されたとき、接地スイッチの接触部１９を収容する目的で使用される。
【００５４】
このコンビネーション・ディスコネクタ７の特別な優位性は、ディスコネクタの接触部２０および／または接地スイッチの接触部１９を取り付けることにより、ディスコネクタおよび／または接地スイッチ機能がシンプルに実現されることが可能であると言う事実にある。それに続く変形、即ち、接触パーツ１９，２０の内の一つの分解および／または改装による、ディスコネクタ機能、接地スイッチ機能とコンビネーション機能の間の変形も、非常にシンプルなやり方で可能である。
【００５５】
更なる重要な優位性は、図８または EP 1 569 254 に示されているような、三つのディスコネクタ開口１２，１３，１４を有するＴ字型、または二つのみのディスコネクタ開口１２，１３または１４，１３を有するＬ字型を備えた、コンビネーション・ディスコネクタが使用されることが可能であると言う事実にあり、ここで、ディスコネクタの導電体１７または１５は、閉鎖されるべき第三または第一のディスコネクタ開口１４または１２のキャップにより置き換えられる。付加的なデバイスなどが、そこにフランジを介して接続されることも可能である。
【００５６】
重要な優位性は、スイッチング装置１のディスコネクタ７の全て（図１−４）、及びスイッチ・アレンジメント１ｂ（図５−７）が、図８に示されているような直角のディスコネクタ７として選択されることが可能であると言う事実にある。
【図面の簡単な説明】
【００５７】
【図１ａ】図１ａは、本発明に基づく屋外ブッシングの、横方向のフランジ接続部を備えたスイッチング装置の第一の実施形態の側面図である。
【図１ｂ】図１ｂは、本発明に基づく屋外ブッシングの、横方向のフランジ接続部を備えたスイッチング装置の第一の実施形態の前面図である。
【図２ａ】図２ａは、二つの送出フィーダ（屋外ブッシングおよび／またはケーブル）の横方向のフランジ接続部を備えた、スイッチング装置の第二の実施形態の側面図である。
【図２ｂ】図２ｂは、二つの送出フィーダ（屋外ブッシングおよび／またはケーブル）の横方向のフランジ接続部を備えた、スイッチング装置の第二の実施形態の平面図である。
【図２ｃ】図２ｃは、二つの送出フィーダ（屋外ブッシングおよび／またはケーブル）の横方向のフランジ接続部を備えた、スイッチング装置の第二の実施形態の側面図である。
【図３】図３は、二つの送出フィーダの両側にフランジ接続を備えたスイッチング装置の第三の実施形態を示す。
【図４ａ】図４ａは、三つの送出フィーダの両側に且つ部分的に互いに向かい合わせに、横方向のフランジ接続部を備えたスイッチング装置の第四の実施形態の側面図である。
【図４ｂ】図４ｂは、三つの送出フィーダの両側に且つ部分的に互いに向かい合わせに、横方向のフランジ接続部を備えたスイッチング装置の第四の実施形態を平面図である。
【図５ａ】図５ａは、単純化された １-1/2 スイッチ・アレンジメントの平面図である。
【図５ｂ】図５ｂは、単純化された １-1/2 スイッチ・アレンジメントの側面図である。
【図６】図６は、マントル側のアングル・ディスコネクタの接続部を備えた １-1/2 スイッチ・アレンジメントの平面図である。
【図７】図７は、マントル側のアングル・ディスコネクタの接続部を備えた １-1/2 スイッチ・アレンジメントの平面図である。
【図８】図８は、密閉型のコンビネーション・アングル・ディスコネクタ／接地スイッチの形態の、好ましいフランジ接続モジュールを示す。
【符号の説明】
【００５８】
１…電気的スイッチング装置，高電圧サーキット・ブレーカ，ヘビーデューティー・スイッチ、1a…中央軸，スイッチ軸，長手方向の軸、１ｂ…スイッチ・アレンジメント、２…サーキット・ブレーカ，開閉器ユニット，スイッチング・チャンバー、２ａ…スイッチ・ハウジングのマントル面、３…サーキット・ブレーカのハウジング，スイッチ・ハウジング、３ａ−３ｄ…マントル側の接続フランジ、４…送出フィーダ、４０…屋外ブッシング、４１…高電圧ターミナル、４２…送出ケーブル、４３…ケーブル、５…スイッチ・ドライブ、５ａ…末端側の接続フランジ（駆動のための）、６…圧力リリーフバルブ、６ａ…末端側の接続フランジ、７…直角のディスコネクタ，ディスコネクタおよび／または接地スイッチ機能を備えた直角のモジュール，直角のコンビネーション・ディスコネクタ、７０…ディスコネクタ／接地スイッチ・ドライブ、７１…速動式の接地スイッチ、８…電流トランス、９…取り付けフレーム，コンンクリート基台、１０…共通のディスコネクタ駆動のための駆動ロッド・アセンブリ、１１…アングル・ディスコネクタ・ハウジング、１２，１３，１４…ディスコネクタ開口、１５，１６，１７…ディスコネクタ導電体、１８…接触要素，二つのパーツからなる接触チューブ、１９…接地スイッチの接触部、２０…ディスコネクタの接触部、２１…導電体チューブ、２２…保持要素、２３…ディスコネクタ・ドライブ・シャフト、２４…接地コンタクト、２５…ディスコネクタ・コンタクト、２６…ネジ山が切られたスピンドル、２７…スピンドル・ナット、２８，２９，３０…スピンドル部分、３１…スライド要素、３２…ガイド・レール、Ａ，Ｂ，Ｃ，Ｄ…送出フィーダの長手方向の軸、Ｈ１，Ｈ２…マントル側の，非縦方向の電気的接続部の中央軸、Ｅ…接地スイッチ、Ｔ…ディスコネクタ、Ｔ１，Ｔ２…ディスコネクタ軸、Ｔ１…インプット軸、Ｔ２…アウトプット軸、Ｔ１２…ディスコネクタ平面、ｘ，ｙ，ｚ…直交座標、α…ディスコネクタ角度、β…回転角度，送出フィーダの傾斜角度、γ…マントル側電気的接続部の位置角度。
【図１ａ】
2009514500.tif 000003
【図１ｂ】
2009514500.tif 000004
【図２ａ】
2009514500.tif 000005
【図２ｂ】
2009514500.tif 000006
【図２ｃ】
2009514500.tif 000007
【図３】
2009514500.tif 000008
【図４ａ】
2009514500.tif 000009
【図４ｂ】
2009514500.tif 000010
【図５ａ】
2009514500.tif 000011
【図５ｂ】
2009514500.tif 000012
【図６】
2009514500.tif 000013
【図７】
2009514500.tif 000014
【図８】
2009514500.tif 000015
【国際調査報告】
2009514500.tif 000016
2009514500.tif 000017
2009514500.tif 000018
2009514500.tif 000019